(57)【要約】【課題】障害復旧後、急いで処理する必要のある取引等がある場合、それを優先して処理することができ、かつオペレータが戻し処理を行うのを忘れてしまうことも防止する。【解決手段】紙幣入出金機の紙幣収納庫から繰り出した紙幣を施封小束支払機に搬送して入金処理している最中に発生した障害の復旧後、施封小束支払機への入金が確定していない紙幣を前記紙幣入出金機に戻す戻し処理を即時実行するか否かをオペレータに問う画面を表示部に表示し、即時実行しないことが選択された場合、当該装置における通常の処理を可能にすると共に、以後前記表示部の画面中に、前記戻し処理に移行するための表示を常時行うようにした。【選択図】        図１
2005157759.tif 000002
【特許請求の範囲】
【請求項１】
紙幣の入出金処理を行う紙幣入出金機と、この紙幣入出金機から搬送されてくる紙幣を一定枚数ずつ束ねて小束収納庫に収納することで入金を行う入金機能を有すると共に、該小束収納庫から束紙幣を取り出して前記出金口から出金する出金機能を有する施封小束支払機と、情報表示用の表示部を備えた現金処理装置において、
前記紙幣入出金機の紙幣収納庫から繰り出した紙幣を施封小束支払機に搬送して処理している最中に発生した障害の復旧後、施封小束支払機への処理が確定していない紙幣を前記紙幣入出金機に戻す戻し処理を即時実行するか否かを問う手段を設け、
該手段による問いに対して即時実行しないことが選択された場合、当該装置における通常の処理を可能にすると共に、以後前記表示部等に前記戻し処理に移行するための表示を常時行うことを特徴とする現金処理装置。
【請求項２】
請求項１記載の現金処理装置において、
戻し処理時にすでに施封小束支払機の小束収納庫に収納されている処理が確定していない紙幣束を施封小束支払機の出金機能を利用して取り出し、取り出した紙幣束を出金口から放出することを特徴とする現金処理装置。
【発明の詳細な説明】
【技術分野】
【０００１】
本発明は、金融機関で用いられる現金処理装置に関するもので、特に紙幣入出金機から紙幣を施封小束支払機に搬送して、施封小束支払機により小束を作成して小束収納庫に収納する機能を備えた現金処理装置に関するものである。
【背景技術】
【０００２】
銀行等の金融機関の営業店には、オペレータが顧客と接客して取引業務を行う窓口の後方等に処理能力の大きい出納機と称する大型の現金処理装置が設置されている。
この現金処理装置は紙幣入出金機や施封小束支払機等を並べて配置した構造を持ち、オペレータ等の操作により各種の現金処理を行う機能を有している。
図４はこの種の現金処理装置の外観を示す斜視図、図５はその構成を示す概略図である。
【０００３】
この現金処理装置は、紙幣入出金機１、新券支払機２、紙幣補充回収機３、施封小束支払機４、棒金支払機５、制御部６、認証プリンタ７、現金外ポスト８、硬貨入出金機９、表示部１０、及びキーボード１１等により構成されている。
これらは所定の配置で並べられ、あるいは重ねられているが、特にこの例では紙幣入出金機１が紙幣補充回収機３を挟んで施封小束支払機４と隣り合うように配置されている。
【０００４】
ここで紙幣入出金機１はバラの紙幣の入出金を行う機能を有し、新券支払機２は、各金種の紙幣を支払う機能を有している。
また、紙幣補充回収機３は、営業店の自動化コーナーに設置される自動取引装置（ＡＴＭ）に対して紙幣の補充、回収を行うために使用される一括収納庫への紙幣の装填、自動取引装置から取り外した一括収納庫内に収納されている紙幣の自動計数等を行って収納する機能を有しており、この紙幣補充回収機３には紙幣入出金機１からの紙幣を施封小束支払機４へ搬送する搬送路（搬送手段）が設けられている。
【０００５】
施封小束支払機４は、紙幣入出金機１から１枚ずつ搬送されてくる紙幣を一定枚数毎に紙の帯で施封して小束にし、その小束紙幣を払出し口から放出する機能、小束紙幣を小束収納庫に収納して入金する入金機能、オペレータの要求により小束収納庫から小束紙幣を取り出して出金口から放出する出金機能を有している。
棒金支払機５は、金種毎に一定枚数の硬貨を棒状に包んだ棒金を出金するもので、硬貨入出金機９は、バラの硬貨の入出金を行う機能を有している。
【０００６】
認証プリンタ７は、紙幣入出金機１、新券支払機２、紙幣補充回収機３、施封小束支払機４、棒金支払機５、及び硬貨入出金機９で入出金処理が行われた場合、その処理内容を認証して所定の帳票等に印字し、オペレータに排出するものである。
現金外ポスト８は現金以外の有価証券、例えば小切手や定期預金証書等の有価証券を受け入れて入金するもので、入金金額等はオペレータにより入力される。
【０００７】
表示部１０は現金の処理に必要な情報を表示するＬＣＤ等のディスプレイであり、キーボード１１は現金の処理に必要な情報を入力する入力手段である。
尚、前記表示部１０上にタッチパネルを設けてキーボード１１の代わりに入力手段としてもよい。
制御部６は図示しない記憶部に格納したプログラムに基づいて装置全体の制御を行うものである。
【０００８】
図６は紙幣入出金機１の内部構成を示す側面図である。
この図に示すように紙幣入出金機１は、紙幣投入口（入金口）２１、紙幣投入口２１に投入された紙幣を１枚ずつ分離して取り込む取り込みローラや分離ローラ等の複数のローラから成る取り込み手段２２、取り込まれた紙幣の真偽，金種，表裏，正損等を鑑別及び真券紙幣の計数等を行う第１の鑑別部２３、この第１の鑑別部２３で偽券（金種不明券）等と鑑別されたリジェクト紙幣を集積する返却口２４、第１の鑑別部２３で真券と鑑別された紙幣の表裏を取り揃える表裏反転部２５、出金用の紙幣の金種別に収納する複数の紙幣収納庫２６、各紙幣収納庫２６に対応するようにその各々の上部に配置された一時保留部２７、各紙幣収納庫２６の下部紙幣を繰り出すように設けられた繰り出しローラや分離ローラ等の複数のローラから成る繰り出し手段２８、紙幣収納庫２６から繰り出された紙幣の真偽，金種，表裏，正損等を鑑別及び真券紙幣の計数等を行う第２の鑑別部２９、この第２の鑑別部２９で偽券（金種不明券）等と鑑別されたリジェクト紙幣を収納するリジェクト紙幣収納庫３０、第２の鑑別部２９で真券でかつ正券と鑑別された紙幣を集積する出金口３１、前記各構成要素間を結んで紙幣を搬送する搬送路３２ａ〜３２ｊ、搬送路３２ｊに接続されたツイスト搬送部３３等によって構成されており、このツイスト搬送部３３は紙幣の搬送方向を垂直縦方向として、その搬送方向を軸として紙幣を９０度回転させ、その後紙幣を水平方向に搬送することにより、隣接する補充回収機３に送り込むことができるようになっている。
【０００９】
尚、ここでは紙幣収納庫２６を４個設けた例を示しており、この４個の紙幣収納庫２６に収納する紙幣の金種は運用方法により任意に定められる。例えば、万円紙幣、千円紙幣、五千円紙幣、二千円紙幣の４金種の紙幣を金種別に収納して運用してもよく、また２個の紙幣収納庫２６に万円紙幣を、残り２個の紙幣収納庫２６に千円紙幣と二千円紙幣をそれぞれ収納して運用することも可能である。
【００１０】
また、一時保留部２７は一定枚数（例えば５００枚）の紙幣を集積できる容量を持ち、集積した一時保留紙幣を紙幣収納庫２６内に落下させることができるようになっている。
出金口３１には開閉可能なシャッタを備えている。
この構成において、入金処理の場合、オペレータが紙幣投入口２１に紙幣Ｐを一括投入すると、その紙幣Ｐは取り込み手段２２により１枚ずつ分離して取り込まれ、搬送路３２ａにより第１の鑑別部２３に搬送されて真偽，金種，表裏，正損等を鑑別が行われる。
【００１１】
その結果、偽券（金種不明券）等と鑑別されたリジェクト紙幣は搬送路３２ｂにより返却口２４に搬送されて集積され、オペレータに返却される。
この返却された紙幣はオペレータにより再度紙幣投入口２１に投入することが可能である。
第１の鑑別部２３で入金可能な真券と鑑別された紙幣は、この第１の鑑別部２３で金種別に計数されかつ表裏判定が行われてから搬送路３２ｃにより表裏反転部２５に送られて表裏が取り揃えられた後、搬送路３２ｄにより搬送され、複数の紙幣収納庫２６上の一時保留部２７に金種別に振り分けて集積される。
【００１２】
このようにしてオペレータにより紙幣投入口２１に投入された真券の紙幣がすべて紙幣入出金機１の一時保留部２７に集積されると、それらの紙幣の計数結果が表示部１０に表示される。
これをみて、オペレータがキーボード１１を操作して取引承認の情報を入力すると、一時保留部２７に集積された紙幣は紙幣収納庫２６に収納される。
【００１３】
出金処理の場合、オペレータがキーボード１１を操作して出金紙幣の金種毎の枚数（または金額）を入力すると、繰り出し手段２８により紙幣収納庫２６から紙幣が１枚ずつ繰り出されて搬送路３２ｅにより第２の鑑別部２９に搬送され、真偽，金種，表裏，正損等を鑑別が行われる。
その結果、偽券等と鑑別されたリジェクト紙幣は搬送路３２ｆ、３２ｇ、３２ｉによりリジェクト紙幣収納庫３０に搬送されて収納される。
【００１４】
第２の鑑別部２９によりで真券でかつ出金に利用できる正券と鑑別された紙幣は、この第２の鑑別部２９で金種別に計数されてから搬送路３２ｆ、３２ｇ、３２ｈにより順次搬送されて出金口３１に集積され、そして、出金口３１にオペレータが指定した金種，枚数の紙幣が集積されると、この出金口３１のシャッタが開いて、紙幣がオペレータに出金される。
【００１５】
施封小束支払機4への出金の場合、オペレータがキーボード１１を操作して出金紙幣の金種毎の枚数（または金額）を入力すると、繰り出し手段２８により紙幣収納庫２６から紙幣が１枚ずつ繰り出されて搬送路３２ｅにより第２の鑑別部２９に搬送され、真偽，金種，表裏，正損等を鑑別が行われる。
その結果、偽券等と鑑別されたリジェクト紙幣は搬送路３２ｆ、３２ｇ、３２ｉによりリジェクト紙幣収納庫３０に搬送されて収納される。
【００１６】
第２の鑑別部２９により真券でかつ出金に利用できる正券と鑑別された紙幣は、この第２の鑑別部２９で金種別に計数されてから搬送路３２ｆ、３２ｊにより搬送され、このツイスト搬送部３３により９０度回転されてから、紙幣を水平方向に向きを変えて隣接する補充回収機３に送り込まれる。
そして、補充回収機３に送り込まれた紙幣は、この補充回収機３に設けられている搬送路により施封小束支払機４へ搬送される。
【００１７】
このようにして、オペレータが指定した金種，枚数の紙幣が施封小束支払機４へ出金される。
図７は施封小束支払機４の内部構成を示す側面図である。
この施封小束支払機４は、上段ユニットＡと下段ユニットＢから成り、上段ユニットＡは紙幣入出金機1のツイスト搬送部３３と同様のツイスト搬送部４１、ツイスト搬送部４１から紙幣を搬送する搬送路４２、複数の施封集積部４３、搬送路により搬送されてきた紙幣を各施封集積部４３に分配する分配部４４、一定枚数（例えば１００枚）の紙幣を紙の帯で施封して小束として送り出す施封部４５、各施封集積部４３に集積された一定枚数の紙幣を一括して取り出して施封部４５に搬送する一括搬送部４６を備え、また下段ユニットＢは施封部４５から送り出される小束を受け取って上下方向に搬送するエレベータ部４７、このエレベータ部４７により搬送される紙幣の小束を出金する出金口４８、紙幣の小束を金種毎に収納する複数の小束収納庫４９、これらの小束収納庫４９の配列方向に沿って移動してエレベータ部４７及び小束収納庫４９との間で紙幣の小束の授受を行う小束ハンド・プッシャ５０、オーバーフロー収納庫５１を備えている。
【００１８】
この構成において、紙幣入出金機1からの紙幣を入金する場合、前記のようにオペレータが入力した金種及び枚数（１００枚単位）に基づいて、紙幣入出金機1の紙幣収納庫２６から繰り出された紙幣が１枚ずつ搬送されてくると、その紙幣はツイスト搬送部４１で施封小束支払機４の前後方向に搬送できるように９０度回転された後、搬送路４２により搬送されて分配部４４により複数の施封集積部４３に金種別に振り分けて集積される。
【００１９】
この金種別の振り分け及び集積枚数の管理は、紙幣入出金機１での金種鑑別結果及び計数結果に基づいて制御部６により制御される。
施封集積部４３に一定枚数（例えば１００枚）の紙幣が集積されると、その紙幣は一括搬送部４６により一括して取り出され、施封部４５に搬送される。
この施封部４５で一定枚数の紙幣は紙の帯で施封され、小束紙幣としてエレベータ部４７に移され。
【００２０】
その後、エレベータ部４７は小束ハンド・プッシャ５０の位置まで下降して、紙幣の小束が小束ハンド・プッシャ５０へ渡され、そして小束ハンド・プッシャ５０が該当金種の小束収納庫４９まで移動して、その小束収納庫４９に小束紙幣を収納する。
該当金種の小束収納庫４９が満杯の場合、エレベータ部４７は小束ハンド・プッシャ５０に紙幣の小束を渡すことなく更に下降し、オーバーフロー収納庫５１に紙幣の小束を放出する。
【００２１】
また、この施封小束支払機４への入金として、紙幣入出金機１における紙幣収納庫２６の収納量が、予め設定された容量以上（例えばニアフルの状態）になり、その状態が図示しないセンサにより検知された場合、あるいは紙幣収納庫２６の収納量がユーザの設定値に達してそれが制御部６等で認識された場合、その紙幣収納庫２６の紙幣を自動的に施封小束支払機４に移すケースがある。
【００２２】
この場合、施封小束支払機４へ移す紙幣の枚数は予め定められており、制御部６の指示により紙幣入出金機１の紙幣収納庫２６から紙幣が繰り出され、前記と同様の手順で小束紙幣が作成されて小束収納庫４９に収納される。
ところで、このような施封小束支払機４においては、オペレータが入力した金種、枚数の紙幣、あるいは紙幣入出金機１から自動的に移す紙幣がすべて小束収納庫２６に収納された時点で入金が確定するものとなっている。
【００２３】
そのため、前記のように紙幣入出金機１から施封小束支払機4へ紙幣を搬送して処理している最中に、搬送中の紙幣にジャム等の障害が発生した場合、この時点では施封小束支払機４の施封集積部４３に集積中の紙幣や、施封部４５で施封中の紙幣、更には小束収納庫４９に収納された一部の小束紙幣はまだ紙幣入出金機１の紙幣であるので、これらの紙幣は障害復旧後に紙幣入出金機１に戻す必要がある。
【００２４】
このように障害復旧時に施封小束支払機４に紙幣を戻す戻し処理を行わないと、紙幣入出金機１及び施封小束支払機４内の実際の紙幣の有り高と、制御部６が認識している紙幣入出金機１及び施封小束支払機４内の紙幣の有り高に差が生じることになる。
通常、この戻し処理は、障害復旧後にオペレータにより実施される。
図８は障害発生時の処理を示すフローチャート、図９は戻し処理を示すフローチャートである。
【００２５】
図８に示すように施封小束支払機４への入金処理時にジャム等の障害が発生すると（Ｓ１１）、制御部６は施封小束支払機４の入金が確定しているか否かにより戻し処理が必要かどうかを判断する（Ｓ１２）。
入金が確定している場合、制御部６は戻し処理が必要でないものとして（例えば施封小束支払機４における入金処理中の障害ではないものとして）Ｓ１４に移るが、戻し処理が必要である場合、制御部６はオペレータに戻し処理の実行を促すメッセージを表示部１０に表示する（Ｓ１３）。
【００２６】
その後、制御部６は紙幣入出金機１と施封小束支払機４及び補充回収機３等の状態を監視して障害が復旧したかどうかを判断し（Ｓ１４）、復旧していない場合は復旧を待ち、復旧した場合は、制御部により現金処理装置は通常の業務状態（運用状態）に戻される（Ｓ１５）。
尚、このときの復旧処理により搬送中の紙幣や、施封小束支払機４の施封集積部３５に集積中の紙幣、施封部４５で施封中の紙幣等、施封小束支払機４における小束収納庫４９内の小束紙幣以外の入金処理中の紙幣はすべてオペレータにより回収される。
【００２７】
オペレータは、前記のように表示部１０に表示されたメッセージに従って、障害復旧後キーボード１１により図９に示す戻し処理を指示する（Ｓ２１）。  
これにより、制御部６は施封小束支払機４に精査の実行を指示し、この指示に基づいて施封小束支払機４で小束収納庫４９内の小束紙幣の精査が実行される。
この精査は、各小束収納庫４９に付加されているセンサにより小束収納庫４９毎に収納されている小束紙幣の束数を検出し、制御部６が把握している入金処理前の各小束収納庫４９内の小束紙幣の束数と比較することにより行われる。
【００２８】
そして、この精査結果に基づいて制御部６は小束収納庫４９内に過剰な小束紙幣があるかどうかを判断し（Ｓ２２）、過剰な小束紙幣ある場合、その過剰な小束紙幣の束数と、その小束紙幣が収納されている小束収納庫４９を指定する情報（例えば予め小束収納庫に付与された番号あるいは金種）を表示部１０に表示する。
ここでオペレータは施封小束支払機４を開いて下段ユニットＢを引き出し、過剰分の小束紙幣を小束収納庫４９から抜き取って（Ｓ２３）、その小束紙幣の帯を取り外し、障害復旧時に回収した紙幣と共に紙幣入出金機１の紙幣投入口２１にセットする。
【００２９】
これにより紙幣を紙幣入出金機１により入金処理と同様に紙幣収納庫２６に戻し、処理を終了させる（Ｓ２４）。
また、前記の精査結果で制御部６が過剰な小束紙幣がないと判断した場合、その旨の情報が表示部１０に表示され、これによりオペレータは障害復旧時に回収した紙幣を紙幣入出金機１の紙幣投入口２１にセットして、前記と同様に紙幣収納庫２６に戻し、処理を終了させる（Ｓ２４）。
【００３０】
図１０は障害復旧と戻し処理を同時に行う場合の処理を示すフローチャートである。
この処理では、施封小束支払機４への入金処理時にジャム等の障害が発生すると（Ｓ３１）、制御部６はオペレータに対して障害の復旧処理と戻し処理を行うように促す旨のメッセージを表示部１０に表示させ、紙幣入出金機１と施封小束支払機４等の状態から障害復旧と戻し処理が行われたかどうかを判断する（Ｓ３２）。
【００３１】
そして、障害復旧と戻し処理のいずれか一方でも処理が行われていない場合は、その処理が行われるのを待ち、障害復旧と戻し処理の両方が終了すると制御部により現金処理装置は通常の業務状態か（運用状態）に戻される（Ｓ３３）。
この場合、オペレータは、前記のメッセージに従って復旧処理を行い、その際搬送中の紙幣や、施封小束支払機４の施封集積部３５に集積中の紙幣、施封部４５で施封中の紙幣等、施封小束支払機４における小束収納庫４９内の小束紙幣以外の入金処理中の紙幣をすべて回収し、更に前記と同様に戻し処理を実行する。
【発明の開示】
【発明が解決しようとする課題】
【００３２】
しかしながら、上述した従来の技術では、障害復旧と戻し処理を別々に行う場合、オペレータは戻し処理を時間に余裕のあるとき等に後回しにして別の入出金処理等を行うことがあり、その結果戻し処理を行うのを忘れてしまうと、後で紙幣入出金機及び施封小束支払機の実際の有り高と制御部が認識している紙幣入出金機及び施封小束支払機のデータ上の有り高にくい違いが生じるという問題がある。
【００３３】
また、障害復旧と戻し処理を同時に行う場合、戻し処理が終了するまで他の処理を行うことができなくなるため、急いで処理しなければならない取引がある場合等に支障を生じるという問題がある。
本発明は、このような問題を解決することを目的とする。
【課題を解決するための手段】
【００３４】
そのため、本発明は、紙幣の入出金処理を行う紙幣入出金機と、この紙幣入出金機から搬送されてくる紙幣を一定枚数ずつ束ねて小束収納庫に収納することで入金を行う入金機能を有すると共に、該小束収納庫から束紙幣を取り出して前記出金口から出金する出金機能を有する施封小束支払機と、情報表示用の表示部を備えた現金処理装置において、前記紙幣入出金機の紙幣収納庫から繰り出した紙幣を施封小束支払機に搬送して処理している最中に発生した障害の復旧後、施封小束支払機への処理が確定していない紙幣を前記紙幣入出金機に戻す戻し処理を即時実行するか否かを問う手段を設け、該手段による問いに対して即時実行しないことが選択された場合、当該装置における通常の処理を可能にすると共に、以後前記表示部等に前記戻し処理に移行するための表示を常時行うことを特徴とする。
【発明の効果】
【００３５】
このようにした本発明は、障害復旧後、即時に戻し処理を実行するか否かをオペレータに選択させるようにしているため、急いで処理しなければならない取引等がある場合、その取引等を優先させて処理することができ、そのため、業務に支障が生じるのを防ぐことができると共に、以後表示部の画面中に、前記戻し処理に移行するための表示を常時行うようにするため、戻し処理を行うのを忘れてしまうことも防止でき、これにより紙幣入出金機及び施封小束支払機の実際の有り高と制御部が認識している紙幣入出金機及び施封小束支払機のデータ上の有り高にくい違いが生じることを無くすことができるという効果が得られる。
【発明を実施するための最良の形態】
【００３６】
以下、図面を参照して本発明による現金処理機の最良の形態について説明する。
＜第１の形態＞
図１は第１の形態を示すフローチャートである。
尚、この第１の形態における現金処理装置の構成そのものは従来と同様であるので、部品名や符号については、図４〜図７に示したものを用いる。
【００３７】
但し、この第１の形態を実施する自動取引装置視する制御プログラムが従来と異なることは無論である。
図１は第１の形態の作用を示すフローチャートである。
従来と同様に紙幣入出金機１の紙幣収納庫２６から繰り出した紙幣を施封小束支払機４へ搬送し、小束紙幣を作成して入金処理している最中にジャム等の障害が発生した場合（Ｓ１）、制御部６は障害の復旧処理を促すメッセージを表示部１０に表示する。
【００３８】
オペレータはこのメッセージに従って障害の復旧処理を行う。
制御部６は前記のメッセージ表示後、紙幣入出金機１や施封小束支払機４の状態を監視して障害が復旧したか否かを判断し（Ｓ２）、復旧していない場合は復旧を待つ。
但し、オペレータが復旧作業を一定の回数(例えば３回)だけ行っても復旧しない場合は、その部分の機能は縮退モードとする。この機能の縮退は任意のタイミングで解除できるものとする。
【００３９】
障害が復旧すると制御部６は戻し処理が必要かどうかを判断して、戻し処理が必要な場合、表示部１０にすぐに戻し処理を行うか否かを問う画面を表示する。
図２はこのときの表示画面例を示す図で、この表示画面には図示したように「現金の戻し処理を実行しますか」等の戻し処理を即時実行するか否かをオペレータに問うメッセージと共に「実行」のボタン５５ａと「後で実行」のボタン５５ｂが表示されている。
【００４０】
オペレータはキーボード１１の操作により「実行」のボタン５５ａまたは「後で実行」のボタン５５ｂを押下し、制御部６はこのボタン５５ａまたは５５ｂのいずれが押下されたかにより戻し処理を即時実行するか否かを判断する（Ｓ３）。
ここでオペレータが「実行」のボタン５５ａを押下すると、制御部６は戻し処理を即時実行するものと判断して、従来と同様に施封小束支払機４に小束の精査を実行させる。
【００４１】
そして制御部６は精査結果に基づいて小束収納庫４９内に過剰な小束紙幣があるかどうかを判断し、過剰な小束紙幣ある場合、従来と同様の手順でオペレータに過剰分の小束紙幣を小束収納庫４９から抜き取らせる。
ここでオペレータは、障害復旧時に回収した紙幣と共に紙幣入出金機１の紙幣投入口２１にセットし、紙幣を紙幣入出金機１の紙幣収納庫２６に自動収納させることで、戻し処理を実行させて（Ｓ４）、通常業務に移行する（Ｓ６）。
【００４２】
尚、前記の精査結果で制御部６が過剰な小束紙幣がないと判断した場合、オペレータは障害復旧時に回収した紙幣のみを紙幣入出金機１の紙幣投入口２１にセットして、戻し処理を実行させ（Ｓ４）、通常業務に移行する（Ｓ６）。
一方、オペレータが「後で実行」のボタン５５ｂを押下すると、制御部６は戻し処理を即時実行しないものと判断して、表示部１０の表示画面に戻し処理に随時移行できるようにするための表示を常時行う画面とする。
【００４３】
図３はこのときの画面例を示す図で、同図（ａ）に示したように例えば取引を選択する複数のボタン５６と共に、戻し処理に随時移行できるようにするための表示として、「現金戻し処理」のボタン５７が表示され、その後、通常業務に移行する（Ｓ６）。
この「現金戻し処理」のボタン５７は取引が選択される等により表示画面画切り替えられても常時表示され、そしてこの「現金戻し処理」のボタン５７をオペレータがキーボード１１の操作により押下すると、図３（ｂ）に示すような画面に切り替わる。
【００４４】
この画面には、現金戻し処理の実行を指示する「実行」のボタン５８と、取消を指示する「取消」のボタン５９が表示され、オペレータがキーボード１１の操作により「実行」のボタン５８を押下すると、前記と同様の手順で戻し処理を行うことが可能となる。
「取消」ボタン５９が押下された場合は、通常業務に戻る。
以上説明した第１の形態によれば、障害復旧後、即時の戻し処理を実行するか否かをオペレータに選択させるようにしているため、急いで処理しなければならない取引等がある場合、その取引等を優先させて処理することができ、そのため、業務に支障が生じるのを防ぐことができると共に、以後表示部の画面中に、前記戻し処理に移行するための表示を常時行うようにするため、戻し処理を行うのを忘れてしまうことも防止でき、これにより紙幣入出金機及び施封小束支払機の実際の有り高と制御部が認識している紙幣入出金機及び施封小束支払機のデータ上の有り高にくい違いが生じることを無くすことができるという効果が得られる。
【００４５】
次に第２の形態について説明する。
この第２の形態は、施封小束支払機４の出金機能を利用するものである。
すなわち、障害復旧後等の戻し処理時に、施封小束支払機４により小束紙幣の精査が実行され、その結果戻しが必要な小束紙幣があるある場合、小束収納庫４９から戻しが必要な金種束数を小束ハンド・プッシャ５０により取り出し、エレベータ部４７により小束出金口４８からオペレータに排出して、紙幣入出金機１にセットさせて戻し処理を実行させるものである。
【００４６】
尚、このほかの処理については第１の形態と同様である。
このようにした第２の形態によれば、施封小束支払機の出金機能を利用して戻しが必要な紙幣の束を小束出金口から排出してオペレータに受け取らせるため、オペレータが下段ユニットを施封小束支払機から引き出して小束収納庫から小束紙幣を抜き取るような操作が不要となり、オペレータの抜き取り忘れによる現金違算等を防止することができる。
【図面の簡単な説明】
【００４７】
【図１】第１の形態を示すフローチャート
【図２】第１の形態における表示画面例を示す図
【図３】第１の形態における戻し処理移行のための画面例を示す図
【図４】現金処理装置の外観を示す斜視図
【図５】現金処理装置の構成を示す概略図
【図６】紙幣入出金機の内部構成を示す側面図
【図７】施封小束支払機の内部構成を示す側面図
【図８】従来例のフローチャート
【図９】従来例のフローチャート
【図１０】従来例のフローチャート
【符号の説明】
【００４８】
１  紙幣入出金機
３  紙幣補充回収機
４  施封小束支払機
６  制御部
１０  表示部
１１  キーボード
２１  紙幣投入口
２３  第１の鑑別部
２６  紙幣収納庫
２９  第２の鑑別部
４３  施封集積部
４５  施封部
４６  一括搬送部
４９  小束収納庫
【図１】
2005157759.tif 000003
【図２】
2005157759.tif 000004
【図３】
2005157759.tif 000005
【図４】
2005157759.tif 000006
【図５】
2005157759.tif 000007
【図６】
2005157759.tif 000008
【図７】
2005157759.tif 000009
【図８】
2005157759.tif 000010
【図９】
2005157759.tif 000011
【図１０】
2005157759.tif 000012